Podtech/llm-jp-corpus-v4-ja_patent huggingface dataset:
【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
組成物中のポリマーの全重量に基づいて、ポリ（トリメチレンアリーレート）中に分散された０．１〜３重量％のポリスチレンを含む組成物を含むフィラメントであって、前記フィラメント当たりのデニールが３以下であり、デニール変動係数が２．５％以下であり、複屈折が少なくとも０．０５５であることを特徴とするフィラメント。
【手続補正２】
【補正対象書類名】明細書
【補正対象項目名】０１１２
【補正方法】変更
【補正の内容】
【０１１２】
これらの実施例では、７５デニール／７２フィラメント糸を紡糸したことを除いて、キャンペーン＃３について記載したものと同じ紡糸機手順および設定を用いて、溶融紡糸を行った。紡糸条件は表３および表６に示される。この場合もやはり、押出機の加熱ゾーンはそれぞれ２３０／２５５／２６３℃に設定した。紡糸口金の直径は０．２７ｍｍであった。実施例１２および実施例１３において記される場合を除いて、流量は３７．５ｇ／分に制御した。結果は表６に示される。
【表６】
2014526621.tif 000001
【手続補正３】
【補正対象書類名】明細書
【補正対象項目名】０１１３
【補正方法】変更
【補正の内容】
【０１１３】
以下、本発明の態様を示す。
１．組成物中のポリマーの全重量に基づいて、ポリ（トリメチレンアリーレート）中に分散された０．１〜３重量％のポリスチレンを含む組成物を含むフィラメントであって、前記フィラメント当たりのデニールが３以下であり、デニール変動係数が２．５％以下であり、複屈折が少なくとも０．０５５であることを特徴とするフィラメント。
２．前記ポリ（トリメチレンアリーレート）がポリ（トリメチレンテレフタレート）である、上記１に記載のフィラメント。
３．前記組成物が、前記組成物中のポリマーの全重量に基づいて、ポリ（トリメチレンアリーレート）中に分散された０．５〜２重量％のポリスチレンを含む、上記１に記載のフィラメント。
４．前記組成物が、前記組成物中のポリマーの全重量に基づいて、ポリ（トリメチレンアリーレート）中に分散された０．５〜２重量％のポリスチレンから本質的になる、上記３に記載のフィラメント。
５．前記組成物が、前記組成物中のポリマーの全重量に基づいて、ポリ（トリメチレンテレフタレート）中に分散された０．５〜２重量％のポリスチレンを含む、上記２に記載のフィラメント。
６．前記組成物が、前記組成物中のポリマーの全重量に基づいて、ポリ（トリメチレンテレフタレート）中に分散された０．５〜２重量％のポリスチレンから本質的になる、上記２に記載のフィラメント。
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
ユーザー入力に基づいて、ディスプレイ上に示されているターゲットとされている点を決定する方法であって：
少なくとも一つの点の指示、幅の指示および高さの指示を受領する段階と；
前記少なくとも一つの点の指示、前記幅の指示および前記高さの指示に基づいて前記ディスプレイの一部分を推定する段階と；
前記ディスプレイの推定された部分内に一つまたは複数のオブジェクトの少なくとも一部分が位置することを判別する段階と；
前記少なくとも一つの点の位置に基づいてかつ前記ディスプレイの前記推定された部分内の前記一つまたは複数のオブジェクトの前記部分に基づいて、ターゲットとされている点を決定する段階とを含む、
方法。
【請求項２】
前記一つまたは複数のオブジェクトが第一のフレームワークにおける第一のオブジェクトおよび第二のフレームワークにおける第二のオブジェクトを含む、請求項１記載の方法。
【請求項３】
前記第一のオブジェクトに関連付けられた第一のランクが前記第一のフレームワークによって提供される、請求項２記載の方法。
【請求項４】
前記第二のオブジェクトに第二のランクを割り当てる段階をさらに含む、
請求項３記載の方法。
【請求項５】
前記少なくとも一つの点と前記第一のオブジェクトとの間の距離に、前記第一のランクに基づいて重みをかける段階と；
前記少なくとも一つの点と前記第二のオブジェクトとの間の距離に、前記第二のランクに基づいて重みをかける段階とをさらに含み、
前記ターゲットとされる点を決定する段階が、前記少なくとも一つの点と前記第一のオブジェクトとの間の重みをかけられた距離に基づいてかつ前記少なくとも一つの点と前記第二のオブジェクトとの間の重みをかけられた距離に基づいて前記ターゲットとされる点を決定することを含む、
請求項４記載の方法。
【請求項６】
ユーザーの装置との対話に基づいてターゲットとされる点を決定するためのシステムであって：
一つまたは複数のオブジェクトを表示するよう構成されたディスプレイ装置および
コンピューティング装置とを有しており、前記コンピューティング装置は：
少なくとも一つの点の指示、幅の指示および高さの指示を受領する段階と；
前記少なくとも一つの点の指示、前記幅の指示および前記高さの指示に基づいて前記ディスプレイの一部分を推定する段階と；
前記ディスプレイの推定された部分内に一つまたは複数のオブジェクトの少なくとも一部分が位置することを判別する段階と；
前記少なくとも一つの点の位置に基づいてかつ前記ディスプレイの前記推定された部分内の前記一つまたは複数のオブジェクトの前記部分に基づいて、ターゲットとされている点を決定する段階とを実行するよう構成されている、
システム。
【請求項７】
前記コンピューティング装置が、前記少なくとも一つの点と、前記ディスプレイの前記推定された部分内の前記一つまたは複数のオブジェクトの各部分との間の距離に基づいて、前記ターゲットとされている点を決定するようさらに構成されている、請求項６記載のシステム。
【請求項８】
前記コンピューティング装置が、前記一つまたは複数のオブジェクトのそれぞれに関連付けられたランクに基づいて、前記ターゲットとされている点を決定するようさらに構成されている、請求項７記載のシステム。
【請求項９】
コンピュータに、ユーザーによるタッチスクリーン・ディスプレイのタッチに基づいてターゲットとされている点を決定させるためのコンピュータ・プログラムであって：
少なくとも一つの点の指示、幅の指示および高さの指示を受領するための命令と；
前記少なくとも一つの点の指示、前記幅の指示および前記高さの指示に基づいて前記ディスプレイの一部分を推定するための命令と；
前記ディスプレイの推定された部分内に一つまたは複数のオブジェクトの少なくとも一部分が位置することを判別するための命令と；
前記少なくとも一つの点の位置に基づいてかつ前記ディスプレイの前記推定された部分内の前記一つまたは複数のオブジェクトの前記部分に基づいて、ターゲットとされている点を決定するための命令とを含む、
コンピュータ・プログラム。
【請求項１０】
請求項９記載のコンピュータ・プログラムであって、前記ディスプレイの一部分を推定するための前記命令が、前記ディスプレイの一部分を、前記少なくとも一つの点を中心とした長方形の内部に内接する楕円として推定するための命令を含み、前記長方形は前記高さの指示に対応する高さおよび前記幅の指示に対応する幅をもつ、コンピュータ・プログラム。
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
撮像システム中で患者を撮像する間に患者の胸を圧迫する装置（２４）であって、前記撮像システムは、患者の腹部、胸部、首または頭部の部分を含みうる撮像領域（２３）を規定し、前記装置は、
患者が撮像システム（２３、３８）のガントリ（３８）内に設置されている間、患者の胸部（１５）の直下に設置されるように適応している基台（２５）と、
基台（２５）に操作可能に接続されていて、かつ、少なくとも部分的に患者の胸の回りで伸張するように適応しているベルト（３Ｒ、３Ｌ）であって、患者の胸を横切って伸張するように適応している荷重配分部分（４Ｒ、４Ｌ）と、荷重配分部分（４Ｒ、４Ｌ）からで、かつ患者に対して相対的に後ろで伸張している引っ張り部分（５Ｒ、５Ｌ）とを有するベルト（３Ｒ、３Ｌ）と、
ベルト（３Ｒ、３Ｌ）の荷重配分部分（４Ｒ、４Ｌ）に対して相対的に設置されている引っ張り手段であって、患者が基台（２５）上に設置されていて、かつベルト（３Ｒ、３Ｌ）が患者の胸の回りに伸張している際に、撮像領域（２３）の外側に位置付けられるように設置されている引っ張り手段（２８、２９）と、
引っ張り手段（２８、２９）の動きを、引っ張り部分（５Ｒ、５Ｌ）中の前／後張力に変換するための変換手段（９Ｒ、９Ｌ、３５Ｒ、３５Ｌ）と
を有する装置。
【請求項２】
引っ張り部分（５Ｒ、５Ｌ）は変換手段に向かって下方向に伸張し、前記変換手段は第１スピンドルセット（９Ｌ、９Ｒ）を有し、前記スピンドルは、基台に固定されていて、横方向に設置され、患者に対して相対的に下方／上方に位置合わせされ、さらに、中央側にかつ患者に対して相対的に前／後に設置されている第２スピンドルセット（３６Ｒ、３６Ｌ）に対して相対的に下方／上方に位置合わせされている請求項１に記載の装置。
【請求項３】
引っ張り手段（２８、２９）は線形アクチュエータを有し、該線形アクチュエータはベルト（３Ｒ、３Ｌ）の荷重配分部分に対して相対的に設置されていて、これにより、患者が基台（２５）上に設置されていて、ベルト（３Ｒ、３Ｌ）が患者の胸の回りに伸張していて、かつ患者が撮像システムのガントリ（３８）内に設置されている際に、線形アクチュエータは撮像領域（２３）の外側に位置付けられ、前記線形アクチュエータが、ベルト（３Ｒ、３Ｌ）の引っ張り部分（５Ｒ、５Ｌ）に操作可能に接続されている請求項１または２に記載の装置。
【請求項４】
線形アクチュエータは、アクチュエータロッド（２８）を備えた空気圧式アクチュエータ（２９）を有し、ベルト（３Ｒ、３Ｌ）の引っ張り部分（５Ｒ、５Ｌ）は、第２スピンドルセット（３６Ｌ、３６Ｒ）からアクチュエータロッド（２８）へと下方／上方に伸張する請求項３に記載の装置。
【請求項５】
ベルト（３Ｒ、３Ｌ）の荷重配分部分が撮像領域内に設置されている際には、アクチュエータロッド（２８）を備えた空気圧式アクチュエータ（２９）は、撮像装置の撮像領域の外側に設置されている請求項４に記載の装置。
【請求項６】
ベルト（３Ｒ、３Ｌ）の荷重配分部分が患者の胸部の周囲に設置されていて、患者の頭部、首または腹部が撮像領域（２３）内に設置されている際には、アクチュエータロッド（２８）を備えた空気圧式アクチュエータ（２９）は、撮像装置（２３、３８）の撮像領域の外側に設置されている請求項４または５に記載の装置。
【請求項７】
線形アクチュエータは、回転から直線への変換器を有する請求項３に記載の装置。
【請求項８】
変換手段はスピンドル（９Ｒ、９Ｌ、３５Ｒ、３５Ｌ、３６Ｌ、３６Ｒ）を有し、該スピンドルは、引っ張り部分（５Ｒ、５Ｌ）を、患者の身体のいずれかの側で、前／後方向から、横方向／中央側方向へ、上方／下方方向へガイドするように設置されている請求項１に記載の装置。
【請求項９】
引っ張り手段は線形アクチュエータ（２９）を有し、該線形アクチュエータは、引っぱり部分（５Ｒ、５Ｌ）を患者に対して相対的に上方または下方に引くために、引っぱり部分（５Ｒ、５Ｌ）に接続され、かつ上方／下方方向に位置合わせされる請求項８に記載の装置。
【請求項１０】
引っ張り手段は、ベルト（３Ｒ、３Ｌ）の引っ張り部分（５Ｒ、５Ｌ）に固定されたアクチュエータロッド（２８）を備えた空気圧式ピストン（２９）を有する請求項１に記載の装置。
【請求項１１】
引っ張り手段は、ベルト（３Ｒ、３Ｌ）の引っ張り部分（５Ｒ、５Ｌ）に固定された線形アクチュエータを有する請求項１に記載の装置。
【請求項１２】
引っ張り手段は、ベルト（３Ｒ、３Ｌ）の引っ張り部分（５Ｒ、５Ｌ）に固定された回転から直線への変換器を有する請求項１に記載の装置。
【請求項１３】
引っ張り手段は、装置の上方／下方方向に沿ってベルト（３Ｒ、３Ｌ）の引っ張り部分（５Ｒ、５Ｌ）を引くように位置合わせされた回転アクチュエータを有する請求項１に記載の装置。
【請求項１４】
引っ張り手段はモータを有し、該モータは上方／下方方向を横断するように方向づけられた駆動シャフトを備えている請求項１に記載の装置。
【請求項１５】
引っ張り手段（２８、２９）は、患者に対する上方／下方軸に沿って撮像領域から離れるように、ベルト（３Ｒ、３Ｌ）の荷重配分部分（４Ｒ、４Ｌ）に対して設けられている請求項１〜１４の何れかに記載の装置。
【請求項１６】
引っ張り手段（２８、２９）は、ベルト（３Ｒ、３Ｌ）の左右の中央線（４０）の上方又は下方に配置されるように、ベルトに対して設けられている請求項１〜１５の何れかに記載の装置。
【請求項１７】
引っ張り手段（２８、２９）は、ベルト（３Ｒ、３Ｌ）が、撮像領域内に配置されるときに、ガントリ（３８）の上方に配置されるように、基台に対して設けられている請求項１〜１６の何れかに記載の装置。
【請求項１８】
引っ張り部分（５Ｌ・５Ｒ）は、装置の上方／下方軸に沿って延在する上方／下方伸張部分（２７Ｌ・２７Ｒ）に続き、引っ張り手段（２８、２９）へとつながる請求項１〜１７の何れかに記載の装置。
【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
ａ）少なくとも２つのイソシアネート官能基を含む少なくとも１種のポリイソシアネートを香料に溶かして溶液を形成させるステップと、
ｂ）ステップａ）で得られた前記溶液に、乳化剤またはコロイド安定剤の水溶液を加えるステップと、
ｃ）ステップｂ）で得られた前記混合物に、前記ポリイソシアネートと一緒になってポリ尿素壁を形成する３，５−ジアミノ−１，２，４−トリアゾールを加えて、マイクロカプセルスラリーを形成させるステップと
を含む、ポリ尿素マイクロカプセルの製造方法であって、
アミノ酸を少しも加えることなくその方法を実施することを条件とする、ポリ尿素マイクロカプセルの製造方法。
【請求項２】
前記少なくとも１種のポリイソシアネートが、少なくとも１種の脂肪族ポリイソシアネートと少なくとも１種の芳香族ポリイソシアネートとの混合物の形であり、その両方とも少なくとも２つのイソシアネート官能基を含むことを特徴とする、請求項１に記載の方法。
【請求項３】
前記脂肪族ポリイソシアネートおよび前記芳香族ポリイソシアネートが、８０：２０〜１０：９０の各成分間モル比で使用されることを特徴とする、請求項２に記載の方法。
【請求項４】
前記脂肪族ポリイソシアネートおよび前記芳香族ポリイソシアネートが、６０：４０〜２０：８０の各成分間モル比で使用されることを特徴とする、請求項３に記載の方法。
【請求項５】
２５〜６０％の量の香料が使用され、こうした百分率が前記得られたマイクロカプセルスラリーの全質量に対する質量で定義されることを特徴とする、請求項１〜４のいずれか一項に記載の方法。
【請求項６】
前記ポリイソシアネートが少なくとも３つのイソシアネート官能基を含むことを特徴とする、請求項１〜５のいずれか一項に記載の方法。
【請求項７】
前記芳香族ポリイソシアネートが、フェニル部分、トルイル部分、キシリル部分、ナフチル部分またはジフェニル部分を含むことを特徴とする、請求項１〜６のいずれか一項に記載の方法。
【請求項８】
前記芳香族ポリイソシアネートが、トルエンジイソシアネートのポリイソシアヌレート、トルエンジイソシアネートのトリメチロールプロパン付加物およびキシリレンジイソシアネートのトリメチロールプロパン付加物からなる群から選択されることを特徴とする、請求項１〜７のいずれか一項に記載の方法。
【請求項９】
前記脂肪族ポリイソシアネートが、ヘキサメチレンジイソシアネートの三量体、イソホロンジイソシアネートの三量体およびヘキサメチレンジイソシアネートのビウレットからなる群から選択されることを特徴とする、請求項１〜８のいずれか一項に記載の方法。
【請求項１０】
脂肪族ポリイソシアネートと芳香族ポリイソシアネートとの前記混合物が、ヘキサメチレンジイソシアネートのビウレットとキシリレンジイソシアネートのトリメチロールプロパン付加物との混合物であることを特徴とする、請求項１〜９のいずれか一項に記載の方法。
【請求項１１】
前記ポリイソシアネートを、ステップａ）で得られた前記溶液の全質量に対して２〜２０質量％の量だけ使用することを特徴とする、請求項１〜１０のいずれか一項に記載の方法。
【請求項１２】
前記コロイド安定剤が、ポリビニルアルコール、セルロース誘導体、ポリエチレンオキシド、ポリエチレンオキシドとポリエチレンまたはポリプロピレンオキシドとのコポリマー、アクリルアミドとアクリル酸とのコポリマー、カチオン性ポリマーおよびそれらの混合物からなる群から選択されることを特徴とする、請求項１〜１１のいずれか一項に記載の方法。
【請求項１３】
請求項１〜１２のいずれか一項に記載の方法で得られる、ポリ尿素マイクロカプセル。
【請求項１４】
請求項１３に記載のポリ尿素マイクロカプセルであって、
−  少なくとも２つのイソシアネート官能基を含む少なくとも１種のポリイソシアネートと３，５−ジアミノ−１，２，４−トリアゾールとの重合による反応生成物を含む、ポリ尿素壁と、
−  コロイド安定剤または乳化剤と、
−  カプセル化香料と
を含み、そのようなカプセルがどんなアミノ酸も含まないことを条件とする、請求項１３に記載のポリ尿素マイクロカプセル。
【請求項１５】
請求項１３または１４に記載のマイクロカプセルを含む、消費者製品。
【手続補正書】
【提出日】平成26年8月27日(2014.8.27)
【手続補正１】
【補正対象書類名】特許請求の範囲
【補正対象項目名】全文
【補正方法】変更
【補正の内容】
【特許請求の範囲】
【請求項１】
細胞破壊および核酸処理を可能にする条件下で直接的にバイサルファイト薬剤で生体サンプルを処理する工程と；
処理サンプルからバイサルファイト薬剤を除去する工程と；
処理サンプル中でターゲット核酸を検出する工程と
を含む、分子検出アッセイ。
【請求項２】
前記生体サンプルは、糞便、鼻水、血液、血漿、血清、頬細胞、膿、創傷、濃縮濾液、脳脊髄液、精液、液状化検体細胞診（ＬＢＣ）、組織、ＦＦＰＥ、レーザ捕獲細胞、培養細胞、ペレット化細胞、細菌培養物、細菌コロニー、ウイルス懸濁液、吸引物、気管支洗浄液、痰サンプル、環境サンプル、環境濃縮物、食品、原料、水サンプル、または水濃縮物から選択される、請求項１に記載のアッセイ。
【請求項３】
動物における感染症、遺伝的疾患または遺伝的形質を検出するための、請求項１または請求項２に記載のアッセイ。
【請求項４】
前記感染症は微生物によって引き起こされる、請求項３に記載のアッセイ。
【請求項５】
前記微生物は、細菌、ウイルス、ウイロイド、酵母、菌類、プリオン、寄生虫またはアメーバである、請求項４に記載のアッセイ。
【請求項６】
前記遺伝的疾患は、癌、コピー数変異と関連した疾患、遺伝性疾患、環境誘導疾患、発癌因子への暴露によって引き起こされる疾患、ヌクレオチドリピート長の拡大または縮小によって特徴付けられる疾患である、請求項２に記載のアッセイ。
【請求項７】
前記バイサルファイト薬剤は、ナトリウムバイサルファイトまたはナトリウムメタバイサルファイトである、請求項１から請求項６の何れか一項に記載のアッセイ。
【請求項８】
前記バイサルファイト薬剤は、ｐＨ範囲が４．５から５．５で、２．５Ｍから３．５Ｍの濃度で用いられる、請求項７に記載のアッセイ。
【請求項９】
前記バイサルファイト薬剤は、５．０のｐＨにて３Ｍの濃度で用いられる、請求項８に記載のアッセイ。
【請求項１０】
前記処理工程は、１分間から３０分間、７５℃から９５℃の間で加熱することを伴う、請求項１から請求項９の何れか一項に記載のアッセイ。
【請求項１１】
前記サンプルは、１０から２０分間、８０℃から９５℃の間の温度で加熱される、請求項１０に記載のアッセイ。
【請求項１２】
前記バイサルファイトは、カラムベースの精製、ビーズベースの精製または沈殿によって除去される、請求項１から請求項１１の何れか一項に記載のアッセイ。
【請求項１３】
前記バイサルファイトの除去後、前記処理サンプルは、ｐＨが少なくとも１０である溶出バッファ中に再懸濁される、請求項１から請求項１２の何れか一項に記載のアッセイ。
【請求項１４】
前記溶出バッファは、ｐＨが１１．５から１２．５までである、請求項１３に記載のアッセイ。
【請求項１５】
前記溶出バッファは、ｐＨが少なくとも１２である、請求項１４に記載のアッセイ。
【請求項１６】
核酸プライマーまたはプローブを前記処理サンプルに与える工程をさらに含む、請求項１から請求項１５の何れか一項に記載のアッセイ。
【請求項１７】
前記ターゲット核酸分子は増幅によって検出される、請求項１６に記載のアッセイ。
【請求項１８】
前記増幅は、ＰＣＲ、ｑＰＣＲ、逆転写ＰＣＲ、デジタルＰＣＲ、等温増幅またはシグナル増幅である、請求項１７に記載のアッセイ。
【請求項１９】
前記ターゲット核酸は、前記処理サンプルを配列決定することによって検出される、請求項１から請求項１８の何れか一項に記載のアッセイ。
【手続補正書】
【提出日】平成25年10月29日(2013.10.29)
【手続補正１】
【補正対象書類名】特許請求の範囲
【補正対象項目名】全文
【補正方法】変更
【補正の内容】
【特許請求の範囲】
【請求項１】
哺乳類対象において腎神経伝達を不活性化するための装置であって、
前記哺乳類対象の腎動脈へ挿入されるカテーテルと、
前記カテーテルの遠位端に沿って位置し、前記哺乳類対象の腎動脈へ挿入されて非集束超音波エネルギーを伝達する超音波振動子と、
前記超音波振動子に電気的に接続され、前記腎動脈を包含する少なくとも０．５ｃｍ3の衝撃容積内に、前記衝撃容積全体の腎神経伝達を不活性化するのに十分な治療レベルで印加される非集束超音波エネルギーを伝達するように、前記超音波振動子を制御するとともに、パルス関数を利用して前記非集束超音波エネルギーを伝達するように、前記超音波振動子を制御する、アクチュエータと、
前記カテーテルの遠位端部に取付けられるバルーンであって、前記腎動脈を流れる血液を実質的に遮断することなく当該腎動脈壁に係合し、当該バルーンは膨張状態のときに非円形の形状であることにより、当該バルーンの第１の直径が第２の直径よりも大きくなり、当該バルーンが多孔質膜で形成されることで、当該バルーンに送られる冷却液体が、当該バルーンから前記腎動脈内の血流内に流出して腎動脈の内面を冷却する、バルーンと、
前記カテーテルに取付けられる機械可読の要素であって、使用中に超音波振動子によって伝達される超音波エネルギーの最適な作動周波数を識別する製造番号をエンコードする、機械可読の要素と、
を含む装置。
【請求項２】
前記アクチュエータは、急速な組織壊死を引き起こさないレベルで前記衝撃容積全体に前記非集束超音波が印加されるように、前記超音波振動子を制御する、請求項１に記載の装置。
【請求項３】
前記衝撃容積は、前記腎動脈周囲の前記腎神経の全てを包含する、請求項２に記載の装置。
【請求項４】
前記アクチュエータは、前記衝撃容積内における１００〜９００ジュールの吸収用量を与えるために、１０〜３０ワットの音響出力レベルで前記非集束超音波エネルギーを１０〜３０秒間伝達するように、前記超音波振動子を制御する、請求項１に記載の装置。
【請求項５】
前記アクチュエータは、前記腎動脈壁の温度を６５℃未満に維持しながら、前記衝撃容積全体の温度が数秒間以上４２℃超に達するように、前記超音波振動子を制御する、請求項１に記載の装置。
【請求項６】
前記超音波振動子は、前記腎動脈の軸に沿った少なくとも約２ｍｍの長さを含む形態で、前記超音波エネルギーを伝達する、請求項１に記載の装置。
【請求項７】
前記超音波振動子は、前記腎動脈の軸に沿った少なくとも約２ｍｍの長さを有する衝撃容積全体に、前記治療レベルで前記超音波エネルギーを印加する、請求項１に記載の装置。
【請求項８】
前記カテーテル及び前記超音波振動子は、前記超音波振動子が前記腎動脈内に配置された際に、前記腎動脈内を十分な量の血液が流れるよう構成及び配置される、請求項５に記載の装置。
【請求項９】
前記カテーテルは、前記超音波振動子を前記腎動脈壁に接触せずに保持するように構成及び配置される、請求項８に記載の装置。
【請求項１０】
前記超音波振動子は軸を有し、前記カテーテルは、前記腎動脈の軸と略平行に前記超音波振動子の軸を保持するように構成及び配置され、前記超音波振動子は、前記超音波振動子の軸の周囲３６０度の円筒形態で前記超音波エネルギーを伝達する、請求項８に記載の装置。
【手続補正書】
【提出日】平成26年1月28日(2014.1.28)
【手続補正１】
【補正対象書類名】特許請求の範囲
【補正対象項目名】全文
【補正方法】変更
【補正の内容】
【特許請求の範囲】
【請求項１】
下記式（Ｉ）の化合物またはその薬学上許容される塩：
【化１】
2013509377.tif 000001
（式中、Ｒ１は水素原子または（Ｃ１−Ｃ７）アルキル基である）。
【請求項２】
下記連続的工程を含んでなる方法により得られる、請求項１に記載の化合物：
（ｉ）Hemimycale種海綿動物の凍結乾燥物をクロロホルム、次いで、水−エタノール溶液で浸漬し、続いて、濾過して濾液を得、その後、該濾液を濃縮して、抽出物を得る工程、
（ｉｉ）前述の工程（ｉ）で得られた抽出物を水とジクロロメタンとで分液し、得られた水相と有機相を分離し、酢酸エチルで水相を抽出し、新たに得られた水相と有機相を分離し、それによって得られた２つの有機相を合わせ、濃縮して、脱塩抽出物を得る工程、  （ｉｉｉ）前述の工程（ｉｉ）で得られた脱塩抽出物を水−メタノール溶液およびヘキサンに溶解し、回収し、メタノール相を濃縮してメタノール抽出物を得る工程、
（ｉｖ）前述の工程（ｉｉｉ）で得られたメタノール抽出物からＲ１＝Ｈである式（Ｉ）の化合物を単離する工程、および
（ｖ）所望により、Ｃ−（１）のカルボン酸をエステル化してＲ１＝（Ｃ１−Ｃ７）アルキルである式（Ｉ）の化合物を得、かつ／または前述の工程（ｉｖ）で得られた化合物を塩化し、それによって得られた化合物を反応混合物から単離する工程。
【請求項３】
前記海綿動物Hemimycale種が、バヌアツ共和国のトレス諸島を起源とする、請求項２に記載の化合物。
【請求項４】
以下の化合物から選択される、請求項１〜３のいずれか一項に記載の化合物：
【化２】
2013509377.tif 000002
および
【化３】
2013509377.tif 000003
。
【請求項５】
請求項１〜４のいずれか一項に記載の少なくとも１種の化合物を含んでなる、医薬組成物。
【請求項６】
少なくとも１種の薬学上許容される賦形剤をさらに含んでなる、請求項５に記載の医薬組成物。
【請求項７】
癌の治療に用いるための、請求項５または６に記載の医薬組成物。
【請求項８】
下記連続的工程：
（ｉ）Hemimycale種海綿動物の凍結乾燥物をクロロホルム、次いで、水−エタノール溶液で浸漬し、続いて、濾過して濾液を得、その後、該濾液を濃縮して抽出物を得る工程、  （ｉｉ）前述の工程（ｉ）で得られた抽出物を水とジクロロメタンとで分液し、得られた水相と有機相を分離し、酢酸エチルで水相を抽出し、新たに得られた水相と有機相を分離し、それによって得られた２つの有機相を合わせ、濃縮して、脱塩抽出物を得る工程、  （ｉｉｉ）前述の工程（ｉｉ）で得られた脱塩抽出物を水−メタノール溶液およびヘキサンに溶解し、回収し、メタノール相を濃縮してメタノール抽出物を得る工程、
（ｉｖ）前述の工程（ｉｉｉ）で得られたメタノール抽出物からＲ１＝Ｈである式（Ｉ）の化合物を単離する工程、および
（ｖ）所望により、Ｃ−（１）のカルボン酸をエステル化してＲ１＝（Ｃ１−Ｃ７）アルキルである式（Ｉ）の化合物を得かつ／または前述の工程（ｉｖ）で得られた化合物を塩化し、それによって得られた化合物を反応混合物から単離する工程
を含んでなる、請求項１〜４のいずれか一項に記載の化合物を合成する方法。
【請求項９】
前記海綿動物Hemimycale種が、バヌアツ共和国のトレス諸島を起源とする、請求項８に記載の合成方法。
【請求項１０】
Ｒ１＝Ｈである請求項１〜４のいずれか一項に記載の化合物から、Ｒ１が（Ｃ１−Ｃ７）アルキル基を表す請求項１〜４のいずれか一項に記載の化合物を合成する方法であって、下記連続的工程：
（ａ）Ｃ−（１）のカルボン酸をエステル化し、Ｒ１＝（Ｃ１−Ｃ７）アルキルである式（Ｉ）の化合物を得る工程、
（ｂ）所望により、前述の工程（ａ）で得られた化合物を塩化する工程、および
（ｃ）前述の工程（ａ）または（ｂ）で得られた化合物を反応混合物から単離する工程を含んでなる、方法。
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
任意に適切な賦形剤とともに、シトルリンおよびオルニチン塩酸塩および／またはこれらの薬学的に許容できる塩からなるアミノ酸を含有する組成物（ａ）と、朝鮮人参または朝鮮人参エキス、イチョウ葉エキスおよびシリビニンエキスの混合物を含有する組成物（ｂ）との組み合わせを含む、調製物。
【請求項２】
アミノ酸を含有する組成物（ａ）は、シトルリン、およびオルニチン塩酸塩、および／またはこれらの薬学的に許容できる塩をそれぞれ０．１％〜９９％：９９％〜０．１％の重量比で有する、請求項１に記載の調製物。
【請求項３】
組成物（ｂ）は、朝鮮人参または朝鮮人参エキス、イチョウ葉エキスおよびシリビニンエキスを、それぞれ０．０１％〜９９％、０．０１％〜９９％および０．０１％〜９９％の重量比で有する、請求項１に記載の調製物。
【請求項４】
アミノ酸を含有する組成物（ａ）は、アルギニン、オルニチン、トレオニン、トリプトファンもしくは５−ヒドロキシトリプトファンから選択されるさらなるアミノ酸をさらに含む、請求項１から請求項３のいずれか１項に記載の調製物。
【請求項５】
前記加えられたアミノ酸と、シトルリンおよびオルニチン塩酸塩および／またはこれらの薬学的に許容できる塩からなるアミノ酸を含有する組成物（ａ）との間の重量比は、それぞれ０．０００１％〜５０％：９９．９９９９％〜５０％である、請求項４に記載の調製物。
【請求項６】
組成物（ｂ）は、バーバリークコの実エキスおよび茶ポリフェノールから選択されるさらなる植物エキスをさらに含む、請求項１から請求項５のいずれか１項に記載の調製物。
【請求項７】
重量比は、それぞれ
前記朝鮮人参または朝鮮人参エキスの混合物は０．００１％〜９９％であり、
前記イチョウ葉エキスは０．００１％〜９９％であり、
前記シリビニンエキスは０．００１％〜９９％であり、
前記バーバリークコの実エキスは０．０００１％〜７０％であり、
前記茶ポリフェノールは０．０００１％〜６０％である、
請求項６に記載の調製物。
【請求項８】
前記適切な賦形剤は薬学的に許容できる賦形剤である、請求項１から請求項７のいずれか１項に記載の調製物。
【請求項９】
前記薬学的に許容できる賦形剤は、ヒドロキシプロピルセルロース、メチルセルロース、クロスカルメロースナトリウム、種々の澱粉誘導体、二酸化ケイ素、ステアリン酸マグネシウム、フレンチホワイト、ベヘン酸グリセリルおよび白化防止剤から選択される、請求項８に記載の調製物。
【請求項１０】
請求項１から請求項７のいずれか１項に記載の調製物を含む食品調製物。
【請求項１１】
請求項１から請求項７のいずれか１項に記載の調製物を含む栄養補助食品。
【請求項１２】
請求項１から請求項７のいずれか１項に記載の調製物を含む機能性食品。
【請求項１３】
請求項１から請求項７のいずれか１項に記載の調製物を含む飲料。
【請求項１４】
請求項１から請求項９のいずれか１項に記載の調製物を含む医薬。
【請求項１５】
前記医薬または栄養補助食品は、１日あたり０．１ｍｇ／ｋｇ〜１日あたり１ｇ／ｋｇの投与量で投与される、請求項１４に記載の医薬または請求項１１に記載の栄養補助食品。
【請求項１６】
化学性肝損傷からの保護、
低酸素耐性の亢進、
インビボエタノール含有量の急速除去、および
無酸素環境における還元および生存能の亢進
のための方法における使用のための、請求項１から請求項７のいずれか１項に記載の調製物。
【請求項１７】
アルコール中毒を処置または予防する方法における使用のための請求項１から請求項９のいずれか１項に記載の調製物。
【請求項１８】
必要とする対象においてアルコール中毒、化学性肝損傷、低酸素耐性、インビボエタノール含有量および無酸素環境における還元および生存能の亢進を処置または予防する方法における使用のための請求項１から請求項９のいずれか１項に記載の調製物または請求項１４に記載の医薬。
【請求項１９】
前記調製物または前記医薬は経口投与、非経口投与または局所投与される、請求項１８に記載の使用のための調製物または医薬。
【請求項２０】
請求項１から請求項９のいずれか１項に記載の調製物または請求項１４に記載の医薬は、１日あたり０．１ｍｇ／ｋｇ〜１日あたり１ｇ／ｋｇの投与量で投与される、請求項１８または請求項１９に記載の使用のための調製物または医薬。
【請求項２１】
処置または予防を必要とする前記対象は哺乳動物、好ましくはヒトである、請求項１８から請求項２０のいずれか１項に記載の使用のための調製物または医薬。
【請求項２２】
カプセルもしくは錠剤などの固体製剤の形態、または液体もしくは油性溶液の形態にある、請求項１から請求項７のいずれか１項に記載の調製物。
【請求項２３】
製造されたカプセル剤または錠剤は、投薬単位あたり、
８０ｍｇ〜８１６ｍｇのシトルリンまたは同一量のその塩、
５０ｍｇ〜５１２ｍｇのオルニチンまたは同一量のその塩、
０．０００１ｍｇ〜４３０ｍｇのアルギニン、
０．０００１ｍｇ〜３１０ｍｇのトリプトファン、
０．０００１ｍｇ〜４５０ｍｇの５−ヒドロキシトリプトファン、
０．０００１ｍｇ〜５００ｍｇのトレオニン、
１ｍｇ〜５００ｍｇの朝鮮人参エキス、イチョウ葉のエキス、シリビニンのエキスまたはバーバリークコの実エキス、および
０．０００１ｍｇ〜２５０ｍｇの茶ポリフェノール
を含む、請求項２２に記載の調製物。
【請求項２４】
頭痛もしくは片頭痛を処置または予防する方法における使用のための請求項１から請求項９のいずれか１項に記載の調製物。
【誤訳訂正書】
【提出日】平成26年6月23日(2014.6.23)
【誤訳訂正１】
【訂正対象書類名】特許請求の範囲
【訂正対象項目名】全文
【訂正方法】変更
【訂正の内容】
【特許請求の範囲】
【請求項１】
高いプラットフォームと、傾斜したアクセスランプにより構成されるゴミの荷下ろし用装置であって、
想定されるゴミ収集施設の用途に合わせ、歩行者および軽量車両または重量車両の通行を可能とするように定められた変形係数を有する支持面の上に支持される２つの垂直材と、１つの上部水平横材とを備え、高い水平面を形成する複数の並置されたサポートエレメントと、
前記支持面の上に支持される２つの垂直材と、１つの上部傾斜横材とを備え、前記支持面から前記高い水平面に至る１つ以上の傾斜面を形成する複数のアクセスエレメントと、
前記サポートエレメントおよび前記アクセスエレメントを固定する締結手段と、
を備え、
前記プラットフォームの下に位置する、予め仕切られた地表レベルのゾーンへのアクセスを可能とする、一枚戸または二枚戸以上の連結式入り口手段が、少なくとも１つのモジュール式エレメントに配置されていることを特徴とする、
ゴミの荷下ろし用装置。
【請求項２】
前記支持面の変形係数は、０．２２ＭＰａより大きい、請求項１に記載の装置。
【請求項３】
前記サポートエレメントおよびアクセスエレメントは、逆Ｕ字形のモジュール式エレメントを形成し、このＵ字の両側部が、そのモジュール式エレメントに幅を与える、請求項１または２に記載の装置。
【請求項４】
前記モジュール式エレメントの寸法は、高さ４ｍ以下、全長１０ｍ以下、幅６ｍ以下であるモジュールの範囲内で変動する、請求項１または２に記載の装置。
【請求項５】
連続する２つのエレメントの締結手段を備える、請求項１〜３のいずれかに記載の装置。
【請求項６】
前記締結手段は、２枚の剛性ガセット板で構成される少なくとも１つのシステムから構成され、該２枚の剛性ガセット板は、それぞれの端部を、２つの連続エレメントの各垂直材を貫通する２つのねじ棒で留めることにより、互いに連結される、請求項５に記載の装置。
【請求項７】
第１の連続エレメントペアと、これに隣接して設置された第２の連続エレメントペアとからなる４つのエレメントを締結する手段を備える、請求項１〜６のいずれかに記載の装置。
【請求項８】
前記締結手段は、２枚の剛性ガセット板で構成される少なくとも１つのシステムから構成され、該２枚の剛性ガセット板は、それぞれの端部を、２ペアの連続エレメントの隣接する２つの垂直材を貫通する２つのねじ棒で留めることにより、互いに連結される、請求項７に記載の装置。
【請求項９】
前記プラットフォームの周囲にガードレールを備える、請求項１〜８のいずれかに記載の装置。
【請求項１０】
前記ガードレールは、サポートエレメントおよびアクセスエレメントの上に設置され、または、プラットフォームの外側垂直材の垂直上に、別の連結手段を用いて設置される、請求項９に記載の装置。
【請求項１１】
前記サポートエレメントおよびアクセスエレメントは、セメント製である、請求項１〜１０のいずれかに記載の装置。
【請求項１２】
前記モジュール式エレメントの少なくとも１つの頂部水平横材内が、プラットフォームを温めるための手段を備える、請求項１〜１１のいずれかに記載の装置。
【請求項１３】
前記サポートエレメントおよびアクセスエレメント表面の、各モジュール式エレメントの隣接部には、防水シールが配置される、請求項１〜１２のいずれかに記載の装置。
【請求項１４】
前記モジュール式エレメントの壁と壁の間の、垂直材同士が隣接するゾーンに、弾力性材料で作られた圧縮ストリップが配置される、請求項１〜１３のいずれかに記載の装置。
【請求項１５】
前記モジュール式エレメントの垂直材と支持面との間に、弾力性材料で作られた圧縮ストリップが配置される、請求項１〜１４のいずれかに記載の装置。
【誤訳訂正２】
【訂正対象書類名】明細書
【訂正対象項目名】００２６
【訂正方法】変更
【訂正の内容】
【００２６】
また、ゴミ処理施設用プラットフォームに使用される本発明のモジュール式エレメントの形状には、プラットフォームを構成するモジュール式エレメントの列と同数の「トンネル」で形成される閉じたスペースを、プラットフォーム下に確保できるという利点もある。この地表レベルのゾーンは、構造物外側の正面および後面を、剛壁で仕切ることにより容易に閉じることができる。好ましくは、少なくとも１つのモジュール式エレメント上に、地表レベルのゾーンへのアクセスを可能とする、一枚戸または二枚戸以上の連結式入り口手段を配置する。これらの入り口手段には、あらゆるタイプのドアを用いることが可能であり、しっかりと閉じるタイプであってもよいし、そうでなくともよい。また、プラットフォーム水平面下において、複数のモジュール式エレメント列間の通行を可能とするために、入り口手段を導入することも可能である。
【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
治療を必要とする患者におけるＦＬＴ３、ＦＧＦＲ１、ＦＧＦＲ２、ＦＧＦＲ３、ＦＧＦＲ４、ＰＤＧＦＲα、ＲＥＴ、ＫＩＴ若しくはＤＤＲ２の阻害又はその増幅、突然変異若しくは融合に関連する疾患又は症状を治療する方法であって、ＦＬＴ３、ＦＧＦＲ１、ＦＧＦＲ２、ＦＧＦＲ３、ＦＧＦＲ４、ＰＤＧＦＲα、ＲＥＴ、ＫＩＴ若しくはＤＤＲ２又はその変異体若しくは融合体の阻害剤を、前記疾患又は症状を治療するのに有効な量で前記患者に投与することからなり、該阻害剤がポナチニブ又はその薬学的に許容される塩である方法。
【請求項２】
前記疾患又は症状が、ＦＬＴ３−ＩＴＤ変異体、ＦＬＴ３F691I又はＦＬＴ３D853Yの阻害に関連する、請求項１に記載の方法。
【請求項３】
前記疾患又は症状が急性骨髄性白血病、骨髄異形成症候群、慢性骨髄単球性白血病又は慢性骨髄性白血病である、請求項１又は２記載の方法。
【請求項４】
前記患者がＦＧＦＲ１ＯＰ２−ＦＧＦＲ１融合タンパク質を有する、請求項１に記載の方法。
【請求項５】
前記疾患又は症状が、８ｐ１１骨髄増殖性疾患又は急性骨髄性白血病である、請求項４に記載の方法。
【請求項６】
前記疾患又は症状がＦＧＦＲ１の阻害又はその増幅、突然変異若しくは融合に関連する、請求項１に記載の方法。
【請求項７】
前記ＦＧＦＲ１がＶ５６１Ｍ突然変異を発現する、請求項６に記載の方法。
【請求項８】
前記疾患又は症状が、乳がん、肺がん又は頭頸部の扁平上皮がんである、請求項６又は７に記載の方法。
【請求項９】
前記疾患又は症状がＦＧＦＲ２の阻害又はその増幅、突然変異若しくは融合に関連する、請求項１に記載の方法。
【請求項１０】
前記疾患又は症状が、大腸がん、胃がん、又は乳がんである、請求項９に記載の方法。
【請求項１１】
前記ＦＧＦＲ２がＮ５４９Ｈ、Ｎ５４９Ｋ又はＳ２５２Ｗ突然変異を発現する、請求項９に記載の方法。
【請求項１２】
前記疾患又は症状が、子宮体がん又は膀胱がんである、請求項１１に記載の方法。
【請求項１３】
前記疾患又は症状がＦＧＦＲ３の阻害又はその増幅、突然変異若しくは融合に関連する、請求項１に記載の方法。
【請求項１４】
前記ＦＧＦＲ３がＹ３７５Ｃ又はＫ６５０Ｅ突然変異を発現する、請求項１３に記載の方法。
【請求項１５】
前記疾患又は症状が、膀胱がん、多発性骨髄腫又は横紋筋肉腫である、請求項１３又は１４に記載の方法。
【請求項１６】
前記疾患又は症状がＦＧＦＲ４の阻害又はその増幅、突然変異若しくは融合に関連する、請求項１に記載の方法。
【請求項１７】
前記ＦＧＦＲ４がＹ３６７Ｃ突然変異を発現する、請求項１６に記載の方法。
【請求項１８】
前記疾患又は症状が、乳がん、前立腺がん、大腸がん、肝細胞がん又は横紋筋肉腫である、請求項１６又は１７に記載の方法。
【請求項１９】
前記患者がＦ１Ｐ１Ｌ1−ＰＤＧＦＲα融合タンパク質を有する、請求項１に記載の方法。
【請求項２０】
前記ＰＤＧＦＲαがＴ６７４Ｉ、Ｄ８４２Ｖ、又はＶ５６１ＤＪ突然変異を発現する、請求項１に記載の方法。
【請求項２１】
前記疾患又は症状が慢性好酸性球性白血病又は過好酸性症候群である、請求項１９又は２０に記載の方法。
【請求項２２】
前記ＲめＥＴがＣ６３４Ｗ、Ｍ９１８、Ｖ８０４Ｍ、又はＶ８０４Ｌを発現する、請求項１に記載の方法。
【請求項２３】
前記疾患又は症状が髄様甲状腺がんである、請求項１又は２２に記載の方法。
【請求項２４】
前記患者がＫＩＦ５Ｂ−ＲＥＴ融合タンパク質を有する、請求項１に記載の方法。
【請求項２５】
前記疾患又は症状が肺がんである、請求項２４に記載の方法。
【請求項２６】
前記ＫＩＴがＶ５６０Ｇ、Ｔ６７０Ｉ、Ｖ６５４Ａ、Ｄ８１６Ｖ又はＤ８１６Ｈ突然変異を発現する、請求項１に記載の方法。
【請求項２７】
前記疾患又は症状が黒色腫又はＧＩＳＴである、請求項１又は２６に記載の方法。
【請求項２８】
前記ＤＤＲ２がＩ６３８Ｆ又はＬ２３９Ｒを発現する、請求項１に記載の方法。
【請求項２９】
前記疾患又は症状が肺がんである、請求項１又は２８に記載の方法。
【請求項３０】
投与されるポナチニブが薬学的に許容される塩である、請求項１〜２９のいずれかに記載の方法。
【請求項３１】
前記薬学的に許容される塩が塩酸塩である、請求項３０に記載の方法。
【請求項３２】
前記ポナチニブを、ポナチニブ又はその薬学的に許容される塩と１種又は２種以上の薬学的に許容される賦形剤とを含む薬剤組成物として投与する、請求項１〜２９のいずれかに記載の方法。
【請求項３３】
前記薬剤組成物が経口投与に適したものである、請求項３２に記載の方法。
【請求項３４】
前記薬剤組成物が約１５ｍｇのポナチニブ又はその薬学的に許容される塩を含有する、請求項３３に記載の方法。
【請求項３５】
前記薬剤組成物が約４５ｍｇのポナチニブ又はその薬学的に許容される塩を含有する、請求項３３に記載の方法。
【請求項３６】
前記薬剤組成物が錠剤である、請求項３２〜３５のいずれかに記載の方法。
【手続補正書】
【提出日】平成25年10月25日(2013.10.25)
【手続補正１】
【補正対象書類名】特許請求の範囲
【補正対象項目名】全文
【補正方法】変更
【補正の内容】
【特許請求の範囲】
【請求項１】
成熟野生型ニュールツリン（配列番号５）のアミノ酸５１〜６３からの領域において正に帯電されたアミノ酸の少なくとも１つの変異によって成熟野生型ニュールツリンと異なり、および、成熟野生型ニュールツリンと比較して、ヘパリンへの親和性が減少していることを特徴とするニュールツリンポリペプチド。
【請求項２】
前記ニュールツリンポリペプチドが、配列ＡＲＬＱＧＱＧＡＬＶＧＳ（配列番号２５）による、配列番号５のアミノ酸５１〜６２の置換を含むことを特徴とする請求項１に記載のニュールツリンポリペプチド。
【請求項３】
前記ニュールツリンポリペプチドが、配列番号１、配列番号２、配列番号３、または、配列番号４に示されるアミノ酸配列を含むことを特徴とする請求項１に記載のニュールツリンポリペプチド。
【請求項４】
請求項１乃至３のいずれか１つのニュールツリンポリペプチドと、薬学的に許容可能な担体を含むことを特徴とする医薬組成物。
【請求項５】
薬物として使用するための請求項１乃至３のいずれかに記載のニュールツリンポリペプチド。
【請求項６】
末梢神経障害、筋萎縮性側索硬化症、アルツハイマー病、パーキンソン病、ハンチントン病、虚血性脳卒中、急性脳外傷、急性脊髄損傷、神経障害性疼痛、糖尿病、勃起不全、抜け毛、ヒルシュスプルング病、神経系の腫瘍、多発性硬化症、難聴、網膜症、および、感染からなる群から選択される疾患または障害を処置する際に使用するための請求項１乃至３のいずれかに記載のニュールツリンポリペプチド。
【請求項７】
前記ニュールツリンポリペプチドが、全身投与、脊髄内投与、経鼻投与、および、脳実質内投与からなる群から選択される経路によって投与されることを特徴とする請求項５または６に記載の使用のためのニュールツリンポリペプチド。
【請求項８】
配列番号４または配列番号２に示されるアミノ酸配列を有するニュールツリン変異体であって、治療上有効な量のニュールツリン変異体を必要とする患者に投与する工程を含む、パーキンソン病を処置する方法で使用するためのニュールツリン変異体。
【請求項９】
前記ニュールツリン変異体は脳実質内に投与されることを特徴とする請求項８に記載の使用のためのニュールツリン変異体。
【請求項１０】
前記ニュールツリン変異体は、被殻内に、淡蒼球へ、または、黒質へ投与されることを特徴とする請求項９に記載の使用のためのニュールツリン変異体。
【請求項１１】
脳実質内の前記投与は、即時放出または徐放性の製剤、デポー製剤、あるいは、対流を改善した送達を用いて行われることを特徴とする請求項９に記載の使用のためのニュールツリン変異体。
【請求項１２】
前記ニュールツリン変異体と組みあわせて、治療上有効な量のＢＤＮＦまたはＣＤＮＦの投与をさらに含む請求項８に記載の使用のためのニュールツリン変異体。
【誤訳訂正書】
【提出日】平成26年5月15日(2014.5.15)
【誤訳訂正１】
【訂正対象書類名】特許請求の範囲
【訂正対象項目名】全文
【訂正方法】変更
【訂正の内容】
【特許請求の範囲】
【請求項１】
太陽電池の効率を向上させる方法であって、
エミッタを生成するために、第１の導電型を有する第１の種を太陽電池の表面に導入するステップと、
前記表面に表面パッシベーション層を付着するステップと、を含み、
前記エミッタにおける少数キャリアを前記表面からはね返す電界を前記表面パッシベーション層内に生成するように、イオン注入又は堆積の内の少なくとも1つを用いて、第２の種を前記表面パッシベーション層に導入して、前記エミッタの上の前記表面パッシベーション層内の深さまで達する、太陽電池の効率を向上させる方法。
【請求項２】
前記エミッタはｎ型であり、前記第２の種は、Si, C, He, Ar, Ne, Kr, Xe 及びHから成る群から選択される、請求項１に記載の方法。
【請求項３】
前記エミッタはｐ型であり、前記第２の種は、F, Cl, Br及びNから成る群から選択される、請求項１に記載の方法。
【請求項４】
前記第２の種は、Na, Li, Ca, K, 他の１Ａ族元素及び他の２Ａ族元素から成る群から選択される、請求項１に記載の方法。
【請求項５】
太陽電池の効率を向上させる方法であって、
エミッタを生成するために、第１の導電型を有する第１の種を太陽電池の表面に導入するステップと、
前記表面に表面パッシベーション層を付着するステップであって、該表面パッシベーション層は第１の表面と第２の表面とを規定し、該第２の表面は前記太陽電池の前記表面に配置され前記第１の表面の反対側にある、ステップと、
前記表面パッシベーション層の前記第１の表面に第２の種を付着するステップと、を含み、
前記第２の種を前記表面パッシベーション層に拡散して、前記太陽電池の前記表面の上の深さまで達し、それによって、前記第２の種は、前記エミッタにおける少数キャリアを前記表面からはね返す電界を前記表面パッシベーション層内に生成する、太陽電池の効率を向上させる方法。
【請求項６】
前記エミッタはｎ型であり、前記第２の種は、Na, Li, Ca, K, 他の１Ａ族元素及び他の２Ａ族元素から成るグループから選択される、請求項５に記載の方法。
【請求項７】
前記第２の種は、前記表面パッシベーション層上に噴霧される、請求項５に記載の方法。
【請求項８】
前記太陽電池は、前記第２の種を含む溶液中に浸される、請求項５に記載の方法。
【請求項９】
前記第２の種は、前記表面パッシベーション層上に堆積される、請求項５に記載の方法。
【請求項１０】
前記第２の種は、該第２の種の存在下で、前記太陽電池をアニールすることにより導入される、請求項５に記載の方法。